(57)【要約】【課題】管腔内の様々な状況に対応してより確実に塞栓を捕捉可能な塞栓捕捉装置を提供する。【解決手段】生体の管腔内において塞栓を捕捉除去するための塞栓捕捉装置１０において、先端側が前記管腔内へと送り出される長尺なシャフト部材１１と、そのシャフト部材１１の先端に配置される可撓性を有する先端案内部１２と、弾性又は形状記憶性を有するワイヤで構成されたメッシュからなり、装置搬送用のカテーテル内では収縮しそのカテーテルから管腔内へ放出されると拡張するバスケット形状のフィルタ部１４、２４と、そのフィルタ部１４、２４を構成する前記ワイヤを先端側及び基端側でそれぞれ結束する結束部１６、２６と、を有する塞栓捕捉フィルタ１３、２３と、を備える。この塞栓捕捉フィルタ１３、２３は、前記先端案内部１２の基端側に二つ、縦列配置されている。【選択図】図１
2013027593.tif 000002
【特許請求の範囲】
【請求項１】
生体の管腔内において塞栓を捕捉除去するための塞栓捕捉装置において、
先端側が前記管腔内へと送り出される長尺なシャフト部材と、
該シャフト部材の先端に配置される可撓性を有する先端案内部と、
弾性又は形状記憶性を有するワイヤで構成されたメッシュからなり、装置搬送用のカテーテル内では収縮し該カテーテルから管腔内へ放出されると拡張するバスケット形状のフィルタ部と、該フィルタ部を構成する前記ワイヤを先端側及び基端側でそれぞれ結束する結束部と、を有する塞栓捕捉フィルタと、
を備え、
前記塞栓捕捉フィルタが、前記先端案内部の基端側に二つ、縦列配置されていることを特徴とする塞栓捕捉装置。
【請求項２】
前記二つの塞栓捕捉フィルタの開口部が、互いに異なる向きに配置されることを特徴とする請求項１に記載の塞栓捕捉装置。
【請求項３】
前記二つの塞栓捕捉フィルタの、前記メッシュの粗さが互いに異なることを特徴とする請求項１又は２に記載の塞栓捕捉装置。
【請求項４】
前記二つの塞栓捕捉フィルタの、拡張した際の前記フィルタ部の径が互いに異なることを特徴とする請求項１乃至３の何れか一項に記載の塞栓捕捉装置。
【請求項５】
前記管腔内壁に張り付いた塞栓を破壊、切除するための切除コイルを、前記塞栓捕捉フィルタの管腔内における上流側にさらに設けることを特徴とする請求項１乃至４の何れか一項に記載の塞栓捕捉装置。
【請求項６】
前記フィルタ部が、前記弾性又は形状記憶性を有するワイヤのメッシュからなる略半楕円体のフィルタ本体と、該フィルタ本体の開口部側を支持して前記シャフト部材に取り付ける支持部とから構成されることを特徴とする請求項１乃至５の何れか一項に記載の塞栓捕捉装置。
【請求項７】
前記フィルタ部が、前記弾性又は形状記憶性を有するワイヤのメッシュからなる略楕円体からなり、
前記拡張の際には、前記先端側結束部と基端側結束部とが前記シャフト部材に沿って接近し、前記略楕円体が中央部で折り返されて略半楕円体に変形することを特徴とする請求項１乃至５の何れか一項に記載の塞栓捕捉装置。
【請求項８】
前記フィルタ部の先端側結束部及び基端側結束部の何れか一方が、前記シャフト部材に沿って軸方向にスライド可能に設けられ、他方が前記シャフト部材に固定されていることを特徴とする請求項１乃至７の何れか一項に記載の塞栓捕捉装置。
【請求項９】
前記フィルタ部の先端側結束部及び基端側結束部の両方が、前記シャフト部材に沿って軸方向にスライド可能に設けられると共に、前記先端側結束部及び基端側結束部の移動可能範囲を規制するストッパー部材が、前記シャフト部材に固定的に配置されていることを特徴とする請求項１乃至７の何れか一項に記載の塞栓捕捉装置。
【請求項１０】
前記基端側結束部及び先端側結束部は、Ｘ線不透過性の金属素材から構成されることを特徴とする請求項１乃至９の何れか一項に記載の塞栓捕捉装置。
【請求項１１】
前記先端案内部は、前記シャフト部材の上にＸ線不透過性の金属素材からなるコイルを巻き付けて形成されることを特徴とする請求項１乃至１０の何れか一項に記載の塞栓捕捉装置。
【請求項１２】
前記フィルタ部を構成するワイヤは、ニッケルチタンワイヤ、チタンワイヤ、プラチナ又は金から構成されるワイヤとニッケルチタン合金の複合素材のワイヤ、金メッキを施したニッケルワイヤ、又はチタン合金のワイヤの何れかから形成されることを特徴とする請求項１乃至１１の何れか一項に記載の塞栓捕捉装置。
【請求項１３】
前記塞栓捕捉装置に親水性コーティングが施されていることを特徴とする請求項１乃至１２の何れか一項に記載の塞栓捕捉装置。
【発明の詳細な説明】
【技術分野】
【０００１】
本発明は、生体の管腔において血栓等の塞栓を捕捉するための塞栓捕捉装置に関する。
【背景技術】
【０００２】
脳梗塞は、脳の動脈に塞栓（血栓のほか、脂肪塞栓、腫瘍塞栓等）が入り込み動脈を狭窄させて血流を遮断し、脳虚血を引き起こした際に生じる疾患である。脳への血流が塞栓により遮断されると、脳細胞は酸素と栄養の補給を絶たれ、短時間のうちに壊死へ向かう。このため、脳梗塞の発症初期の段階においては、正常な血流を迅速に確保することが重要である。早期に正常な血流が確保されなければ、脳組織が壊死によりその部位の機能を失い、患者の生命も脅かされる危険性が高くなる。
【０００３】
脳梗塞の治療は一般的に、発症後３〜６時間以内の早期であれば、静動脈又は閉鎖動脈へ直接薬剤を注入して塞栓を溶解又は移動させ血管を再開通させる脳塞栓溶解療法が用いられる。しかし、この脳塞栓溶解療法は塞栓を完全に溶解できない可能性も有している。また、移動させた塞栓が病変部の末梢側に流れて再度血流を遮断し、重篤な合併症を引き起こすこともあり得る。
【０００４】
そこで、近年では血管内治療の進歩により、外科的に血流を確保する方法や塞栓を除去する方法が実施されるようになった。例えば、バルーン付きのマイクロカテーテルで血管を拡張する血管拡張術や、ステントと呼ばれる網状の筒を血管内に留置し、血管壁を内側から支えて狭窄を防ぐステント留置術等がある。
【０００５】
さらに、血管の狭窄部に直接ワイヤ（シャフト）を通し、このワイヤに設けられたバスケット型のフィルタ等で塞栓を捕捉する塞栓捕捉装置がこれまでに開発されている（例えば特許文献１参照）。
【０００６】
図１０に従来の塞栓捕捉装置の概要を示す。図１０に示すように、従来の塞栓捕捉装置３００は、シャフト３０１と、塞栓捕捉フィルタ３０３とを備えている。
【０００７】
シャフト３０１は、その先端近傍に塞栓捕捉フィルタ３０３が配置された長尺なワイヤである。シャフト３０１は、血管２００内を進行させるために細く柔軟なワイヤからなり、シャフト３０１の基端を操作することで塞栓捕捉フィルタ３０３を血管２００内の任意の位置に設置する。
【０００８】
塞栓捕捉フィルタ３０３は、合成樹脂や不織布等からなり血管２００内で遊離した塞栓を捕捉するバスケット形状のフィルタ本体３０４Ａと、このフィルタ本体３０４Ａを支持する弾性又は形状記憶性を有する支持部３０４Ｂと、フィルタ本体３０４Ａあるいは支持部３０４Ｂを結束してシャフト３０１に固定あるいはスライド可能に取り付ける結束部３０６と、から構成される。
【０００９】
この塞栓捕捉装置３００は、搬送カテーテル（図示せず）内に収納された状態で血管２００内の任意の位置に運ばれ、搬送カテーテルから放出されると、塞栓捕捉フィルタ３０３が弾性又は形状記憶性によって自動的に血管２００の内壁にフィットするように拡張する。塞栓捕捉フィルタ３０３は、フィルタ本体３０４Ａに小孔３０３Ａを複数設けることで、血管２００内の血流を確保しながら塞栓を捕捉することが可能である。
【先行技術文献】
【特許文献】
【００１０】
【特許文献１】特開２００４−０９７８０７号公報
【発明の概要】
【発明が解決しようとする課題】
【００１１】
しかしながら、上記従来の塞栓捕捉装置３００は、適用する管腔内の状態によっては、塞栓捕捉フィルタ３０３が完全に内壁にフィットできない場合があり、そのような場合に生じた隙間から塞栓を通過させてしまう恐れがあった。
【００１２】
また、塞栓を捕捉した後、搬送カテーテルに塞栓捕捉フィルタ３０３を収容する際に、捕捉した塞栓を落としてしまう可能性もあった。
【００１３】
さらに、管腔内での体液の流れが一様でない場合には効果を発揮しづらいという課題もあった。
【００１４】
本発明は、上記状況に鑑みて、管腔内の様々な状況に対応してより確実に塞栓を捕捉可能な塞栓捕捉装置を提供することを目的とする。
【課題を解決するための手段】
【００１５】
本発明は、上記課題を解決するために、生体の管腔内において塞栓を捕捉除去するための塞栓捕捉装置において、先端側が前記管腔内へと送り出される長尺なシャフト部材と、そのシャフト部材の先端に配置される可撓性を有する先端案内部と、弾性又は形状記憶性を有するワイヤで構成されたメッシュからなり、装置搬送用のカテーテル内では収縮しそのカテーテルから管腔内へ放出されると拡張するバスケット形状のフィルタ部と、そのフィルタ部を構成する前記ワイヤを先端側及び基端側でそれぞれ結束する結束部と、を有する塞栓捕捉フィルタと、を備え、前記塞栓捕捉フィルタが、前記先端案内部の基端側に二つ、縦列配置されていることを特徴とする塞栓捕捉装置を提供する。
【００１６】
ここで、前記二つの塞栓捕捉フィルタは、以下のように互いに異なる性質を有するのが好適である。
（１）前記二つの塞栓捕捉フィルタの開口部が、互いに異なる向きに配置される。
（２）前記二つの塞栓捕捉フィルタの、前記メッシュの粗さが互いに異なる。
（３）前記二つの塞栓捕捉フィルタの、拡張した際の前記フィルタ部の径が互いに異なる。
【００１７】
なお、前記管腔内壁に張り付いた塞栓を破壊、切除するための切除コイルを、前記塞栓捕捉フィルタの管腔内における上流側にさらに設けても良い。
【００１８】
前記フィルタ部は、前記弾性又は形状記憶性を有するワイヤのメッシュからなる略半楕円体のフィルタ本体と、そのフィルタ本体の開口部側を支持して前記シャフト部材に取り付ける支持部とから構成されるのが好適である。あるいは、前記フィルタ部は、前記弾性又は形状記憶性を有するワイヤのメッシュからなる略楕円体からなり、前記拡張の際には、前記先端側結束部と基端側結束部とが前記シャフト部材に沿って接近し、前記略楕円体が中央部で折り返されて略半楕円体に変形するようにしても良い。
【００１９】
また、前記フィルタ部の先端側結束部及び基端側結束部の何れか一方が、前記シャフト部材に沿って軸方向にスライド可能に設けられ、他方が前記シャフト部材に固定されているのが好適である。もしくは、前記フィルタ部の先端側結束部及び基端側結束部の両方が、前記シャフト部材に沿って軸方向にスライド可能に設けられると共に、前記先端側結束部及び基端側結束部の移動可能範囲を規制するストッパー部材が、前記シャフト部材に固定的に配置されているのが良い。
【００２０】
前記基端側結束部及び先端側結束部は、Ｘ線不透過性の金属素材から構成されるのが好適である。
【００２１】
また、前記先端案内部は、前記シャフト部材の上にＸ線不透過性の金属素材からなるコイルを巻き付けて形成されるのが好ましい。
【００２２】
さらに、前記フィルタ部を構成するワイヤは、ニッケルチタンワイヤ、チタンワイヤ、プラチナ又は金から構成されるワイヤとニッケルチタン合金の複合素材のワイヤ、金メッキを施したニッケルワイヤ、又はチタン合金のワイヤの何れかから形成されるのが好適である。
【００２３】
また、前記塞栓捕捉装置には親水性コーティングが施されていても良い。
【発明の効果】
【００２４】
本発明の塞栓捕捉装置によれば、塞栓捕捉フィルタを二重に配置することにより、上流側の塞栓捕捉フィルタが捕捉できなかった塞栓や収容時に落とした塞栓でも捕捉することが可能となる。
【００２５】
また、二つの塞栓捕捉フィルタを、互いに異なる性質（向き、メッシュ粗さ、大きさ等）とすることで、管腔内の様々な状況に対応してより確実な塞栓の捕捉が可能となる。
【図面の簡単な説明】
【００２６】
【図１】本発明の第一の実施形態に係る塞栓捕捉装置の全体概略図である。
【図２】図１に示す塞栓捕捉装置の使用方法について説明するための模式図である。
【図３】本発明の第二の実施形態に係る塞栓捕捉装置の全体概略図である。
【図４】本発明の第三の実施形態に係る塞栓捕捉装置の全体概略図である。
【図５】本発明の第四の実施形態に係る塞栓捕捉装置の全体概略図である。
【図６】本発明の第五の実施形態に係る塞栓捕捉装置の全体概略図である。
【図７】本発明の第六の実施形態に係る塞栓捕捉装置の全体概略図である。
【図８】図７に示す塞栓捕捉装置の塞栓捕捉フィルタの詳細を示す模式図である。
【図９】本発明の他の実施形態に係る塞栓捕捉装置の、結束部の変形例を説明するための模式図である。
【図１０】従来の塞栓捕捉装置の概要を示す模式図である。
【発明を実施するための形態】
【００２７】
以下、本発明の実施の形態について、図面を参照しながら詳細に説明する。なお、本明細書では、血栓のほか脂肪塞栓、腫瘍塞栓等、生体の管腔内を塞ぐ物質全般をまとめて塞栓と呼ぶことにする。また、以下では生体の管腔として血管を例に説明している。
【００２８】
〔第一の実施形態〕
図１は、本発明の第一の実施形態に係る塞栓捕捉装置の全体概略図である。この図に示すように、本実施形態の塞栓捕捉装置１０は、シャフト（シャフト部材）１１と、先端案内部１２と、二つの塞栓捕捉フィルタ（第一の塞栓捕捉フィルタ、第二の塞栓捕捉フィルタ）１３、２３とから構成される。
【００２９】
シャフト１１は、その先端に先端案内部１２と塞栓捕捉フィルタ１３、２３とが配置された長尺なワイヤである。シャフト１１は、血管内を進行させるために細く柔軟なワイヤからなり、シャフト１１の基端（図示せず）を操作することで、塞栓捕捉フィルタ１３、２３を血管内の任意の位置に設置する。このシャフト１１の素材としては、ニッケルチタン系合金やステンレス鋼等の金属が適している。
【００３０】
シャフト１１の先端部には、可撓性を有する先端案内部１２が配置されている。この先端案内部１２は、塞栓捕捉装置１０の先頭に位置して塞栓捕捉装置１０を血管２００内で進行させる際に血管壁等を傷付けずに案内できるように柔軟に形成されている。好適には、コイル状に巻回したワイヤや編み込んだワイヤから構成される。また、先端案内部１２は、Ｘ線不透過性の金属素材（例えば、プラチナ、タングステン等）から構成し、Ｘ線透視下で位置や姿勢の確認ができるようにするのが良い。
【００３１】
先端案内部１２の基端側には、二つの塞栓捕捉フィルタ１３、２３が縦列配置されている。塞栓捕捉フィルタ１３、２３は、血管内で遊離した塞栓を捕捉するバスケット形状のフィルタ部１４、２４と、このフィルタ部１４、２４を構成するワイヤを結束してシャフト１１に固定あるいはスライド可能に取り付けるリング状の結束部１６、２６と、から構成される。なおここでは、塞栓捕捉フィルタ１３、２３は共にその開口１５、２５が塞栓捕捉装置１０の基端側を向くように配置されている。
【００３２】
フィルタ部１４、２４は、細く柔軟な弾性又は形状記憶性を有するワイヤを編み込んで形成される。ここではフィルタ部１４、２４を、略半楕円体のフィルタ本体１４Ａ、２４Ａが支持部１４Ｂ、２４Ｂに支持されるパラシュート型のバスケットで構成している。
【００３３】
パラシュートの傘体に当たる略半楕円体のフィルタ本体１４Ａ、２４Ａは、血流を通す一方で塞栓は確実に捕捉できるよう、編み込んだワイヤのメッシュから構成される。パラシュートの吊索に当たる支持部１４Ｂ、２４Ｂは、一本又は複数本の束ねられたワイヤからなり、フィルタ本体１４Ａ、２４Ａの開口１５、２５側を支持する。そしてフィルタ部１４、２４は、フィルタ本体１４Ａ、２４Ａの先端側が後述する先端側結束部１６Ａ、２６Ａで結束されると共に、支持部１４Ｂ、２４Ｂの基端側が基端側結束部１６Ｂ、２６Ｂで結束されて、それぞれシャフト１１に取り付けられている。
【００３４】
フィルタ部１４、２４は、細く柔軟なワイヤを編み込んで形成されているため、伸縮及び変形が容易である。また、後述するが、基端側結束部１６Ｂ、２６Ｂはシャフト１１に固定されており、先端側結束部１６Ａ、２６Ａはシャフト１１の軸方向に沿ってスライド可能に設けられている。そのため、フィルタ部１４、２４は、先端側結束部１６Ａ、２６Ａが先端方向に移動すると細長く縮径した状態となり、先端側結束部１６Ａ、２６Ａが基端方向に移動すると丸く膨らんで図１に示すように拡径する。弾性又は形状記憶性を有するワイヤからなるフィルタ部１４、２４は、自然状態又は形状記憶回復温度下ではこの拡径した状態を取るように加工されている。
【００３５】
フィルタ部１４、２４を構成するフィルタ本体１４Ａ、２４Ａと支持部１４Ｂ、２４Ｂは、好適には複数本のワイヤから編まれて形成されている。また、フィルタ部１４、２４を構成するワイヤは、ニッケルチタンワイヤ、チタンワイヤ、プラチナ又は金から構成されるワイヤとニッケルチタン合金の複合素材のワイヤ、金メッキを施したニッケルワイヤ、又はチタン合金のワイヤ等からなるのが好適である。
【００３６】
結束部１６、２６は、フィルタ部１４、２４を構成するワイヤを先端側と基端側でそれぞれ束ねてシャフト１１に取り付けるリング状部材である。このリング状部材は、シャフト１１に固定することも、シャフト１１に対してスライド可能にすることもできる。ここでは、先端側結束部１６Ａ、２６Ａがシャフト１１の軸方向にスライド可能に設けられると共に、基端側結束部１６Ｂ、２６Ｂがシャフト１１に固定されている。そのため、上述のようにフィルタ部１４、２４は、先端側結束部１６Ａ、２６Ａが先端方向に移動することにより、搬送カテーテルに細長く縮径した状態で収納することができる。また、搬送カテーテルから管腔内に放出されると、フィルタ部１４、２４を構成するワイヤの弾性又は形状記憶性により先端側結束部１６Ａ、２６Ａが基端方向に移動し、フィルタ部１４、２４は管腔内壁にフィットするように拡張する。
【００３７】
なお、結束部１６、２６は、Ｘ線不透過性の金属素材（例えば、プラチナ、タングステン等）から構成し、Ｘ線透視下で位置の確認ができるようにする。
【００３８】
以下、上記した塞栓捕捉装置１０の使用方法について、図２を用いて具体的に説明する。
【００３９】
まず、塞栓捕捉装置１０を搬送する前段階として、塞栓捕捉装置１０を設置したい血管２００にガイドワイヤ（図示せず）を導入する。そしてこのガイドワイヤを通して血管２００にマイクロカテーテル（搬送カテーテル）２０２を挿入し、ガイドワイヤは後退させる。
【００４０】
次いで、図２（ａ）に示すように、血管２００に挿入したマイクロカテーテル２０２内に、塞栓捕捉装置１０を通して設置箇所まで移動させる。このとき、マイクロカテーテル２０２内で、塞栓捕捉フィルタ１３、２３の先端側結束部１６Ａ、２６Ａは先端方向へと移動しており、塞栓捕捉フィルタ１３、２３は細長く伸びて縮径した状態でマイクロカテーテル２０２内を移動する。このように塞栓捕捉フィルタ１３、２３は拡縮が自在であるため、塞栓捕捉装置１０はマイクロカテーテル２０２内をスムーズに移動できる。
【００４１】
次に、図２（ｂ）に示すように、マイクロカテーテル２０２の先端から塞栓捕捉装置１０の先端案内部１２と、先端側の塞栓捕捉フィルタ（第一の塞栓捕捉フィルタ）１３を放出する。マイクロカテーテル２０２内から塞栓捕捉フィルタ１３が離脱すると、塞栓捕捉フィルタ１３はその弾性又は形状記憶性により、自動的に拡張する。
【００４２】
さらに、図２（ｃ）に示すように、マイクロカテーテル２０２の先端から基端側の塞栓捕捉フィルタ（第二の塞栓捕捉フィルタ）２３を放出する。基端側の塞栓捕捉フィルタ２３も、先端側の塞栓捕捉フィルタ１３と同様にその弾性又は形状記憶性により自動的に拡張する。
【００４３】
次いで、図２（ｄ）に示すように、マイクロカテーテル２０２は後退させて、その状態で、血流を確保しながら塞栓２０１の捕捉を行う。
【００４４】
使用を終えたら、マイクロカテーテル２０２を前進させて、上記と逆の要領で塞栓捕捉装置１０をマイクロカテーテル２０２に収納する。このとき塞栓捕捉フィルタ１３、２３は再び細長く伸びて縮径した状態でマイクロカテーテル２０２内に収納される。
【００４５】
このように、塞栓捕捉フィルタを二重に配置することにより、上流側の塞栓捕捉フィルタが捕捉できなかった塞栓や、収容時に落とした塞栓等でも、確実に捕捉することが可能になる。
【００４６】
なお、ここでは、塞栓捕捉フィルタ１３、２３共に、開口１５、２５が塞栓捕捉装置１０の基端側を向くように配置した例を示したが、適用する場所や用途に合わせて、逆に開口１５、２５が塞栓捕捉装置１０の先端側を向くように配置しても良い。
【００４７】
また、二つの塞栓捕捉フィルタの開口は、互いに異なる方向に向けても良い。以下、塞栓捕捉フィルタの開口が互いに異なる方向に向ける例について説明する。
【００４８】
〔第二の実施形態〕
図３は、本発明の第二の実施形態に係る塞栓捕捉装置の全体概略図である。なお、図１に示す実施形態と同一の部分については、同一の符号を付して詳細な説明は省略する。
【００４９】
図３に示すように、本実施形態の塞栓捕捉装置３０は、シャフト（シャフト部材）１１と、先端案内部１２と、二つの塞栓捕捉フィルタ（第一の塞栓捕捉フィルタ、第二の塞栓捕捉フィルタ）３３、４３とから構成される。
【００５０】
先端案内部１２の基端側には、二つの塞栓捕捉フィルタ３３、４３が互いに逆向きに縦列配置されている。塞栓捕捉フィルタ３３、４３は、血管内で遊離した塞栓を捕捉するバスケット形状のフィルタ部３４、４４と、このフィルタ部３４、４４を構成するワイヤを結束してシャフト１１に固定あるいはスライド可能に取り付けるリング状の結束部３６、４６と、から構成される。図３に示すように、ここでは、第一の塞栓捕捉フィルタ３３は開口３５が装置先端方向を向くよう配置され、第二の塞栓捕捉フィルタ４３は開口４５が装置基端方向を向くように配置されている。
【００５１】
フィルタ部３４、４４は、細く柔軟な弾性又は形状記憶性を有するワイヤを編み込んで形成される。ここではフィルタ部３４、４４を、略半楕円体のフィルタ本体３４Ａ、４４Ａが支持部３４Ｂ、４４Ｂに支持されるパラシュート型のバスケットで構成している。
【００５２】
パラシュートの傘体に当たる略半楕円体のフィルタ本体３４Ａ、４４Ａは、血流を通す一方で塞栓は確実に捕捉できるよう、編み込んだワイヤのメッシュから構成される。パラシュートの吊索に当たる支持部３４Ｂ、４４Ｂは、一本又は複数本の束ねられたワイヤからなり、フィルタ本体３４Ａ、４４Ａの開口３５、４５側を支持する。そして第一の塞栓捕捉フィルタ３３のフィルタ部３４は、フィルタ本体３４Ａの先端側が先端側結束部３６Ａで結束されると共に、支持部３４Ｂの基端側が基端側結束部３６Ｂで結束されて、シャフト１１に取り付けられている。一方、第二の塞栓捕捉フィルタ４３のフィルタ部４４は、支持部４４Ｂの先端側が先端側結束部４６Ａで結束されると共に、フィルタ本体４４Ａの基端側が基端側結束部４６Ｂで結束されて、シャフト１１に取り付けられている。
【００５３】
フィルタ部３４、４４は、細く柔軟なワイヤを編み込んで形成されているため、伸縮及び変形が容易である。また、後述するが、基端側結束部３６Ｂ、４６Ｂはシャフト１１に固定されており、先端側結束部３６Ａ、４６Ａはシャフト１１の軸方向に沿ってスライド可能に設けられている。そのため、フィルタ部３４、４４は、先端側結束部３６Ａ、４６Ａが先端方向に移動すると細長く縮径した状態となり、先端側結束部３６Ａ、４６Ａが基端方向に移動すると丸く膨らんで図３に示すように拡径する。弾性又は形状記憶性を有するワイヤからなるフィルタ部３４、４４は、自然状態又は形状記憶回復温度下ではこの拡径した状態を取るように加工されている。
【００５４】
フィルタ部３４、４４を構成するフィルタ本体３４Ａ、４４Ａと支持部３４Ｂ、４４Ｂは、好適には複数本のワイヤから編まれて形成されている。また、フィルタ部３４、４４を構成するワイヤは、ニッケルチタンワイヤ、チタンワイヤ、プラチナ又は金から構成されるワイヤとニッケルチタン合金の複合素材のワイヤ、金メッキを施したニッケルワイヤ、又はチタン合金のワイヤ等からなるのが好適である。
【００５５】
結束部３６、４６は、フィルタ部３４、４４を構成するワイヤを先端側と基端側でそれぞれ束ねてシャフト１１に取り付けるリング状部材である。このリング状部材は、シャフト１１に固定することも、シャフト１１に対してスライド可能にすることもできる。ここでは、先端側結束部３６Ａ、４６Ａがシャフト１１の軸方向にスライド可能に設けられると共に、基端側結束部３６Ｂ、４６Ｂがシャフト１１に固定されている。そのため、上述のようにフィルタ部３４、４４は、先端側結束部３６Ａ、４６Ａが先端方向に移動することにより、搬送カテーテルに細長く縮径した状態で収納することができる。また、搬送カテーテルから管腔内に放出されると、フィルタ部３４、４４を構成するワイヤの弾性又は形状記憶性により先端結束部３６Ａ、４６Ａが基端方向に移動し、フィルタ部３４、４４は管腔内壁にフィットするように拡張する。使用方法については、図１に示す第１の実施形態の塞栓捕捉装置１０と同様である。
【００５６】
なお、結束部３６、４６は、Ｘ線不透過性の金属素材（例えば、プラチナ、タングステン等）から構成し、Ｘ線透視下で位置の確認ができるようにする。
【００５７】
このように、塞栓捕捉フィルタ３３、４３の開口３５、４５を互いに異なる向きにすることにより、管腔内での体液の流れが一様でない場合でも、塞栓の捕捉を行うことが可能となる。
【００５８】
上記では、塞栓捕捉フィルタ３３、４３の開口３５、４５が、互いに逆方向を向くように配置したが、これとは逆に、開口３５、４５が互いに向き合うように配置しても良い。
【００５９】
〔第三の実施形態〕
次に、二つの塞栓捕捉フィルタを構成するワイヤのメッシュの粗さが、それぞれ異なる実施例について説明する。
【００６０】
図４は、本発明の第三の実施形態に係る塞栓捕捉装置の全体概略図である。なお、図１に示す実施形態と同一の部分については、同一の符号を付して詳細な説明は省略する。
【００６１】
図４に示すように、本実施形態の塞栓捕捉装置５０は、シャフト（シャフト部材）１１と、先端案内部１２と、二つの塞栓捕捉フィルタ（第一の塞栓捕捉フィルタ、第二の塞栓捕捉フィルタ）５３、６３とから構成される。
【００６２】
先端案内部１２の基端側には、二つの塞栓捕捉フィルタ５３、６３が縦列配置されている。塞栓捕捉フィルタ５３、６３は、血管内で遊離した塞栓を捕捉するバスケット形状のフィルタ部５４、６４と、このフィルタ部５４、６４を構成するワイヤを結束してシャフト１１に固定あるいはスライド可能に取り付けるリング状の結束部５６、６６と、から構成される。なおここでは、塞栓捕捉フィルタ５３、６３は共にその開口５５、６５が塞栓捕捉装置５０の基端側を向いて配置される例を示しているが、用途によって様々な向きに配置することが可能である。
【００６３】
フィルタ部５４、６４は、細く柔軟な弾性又は形状記憶性を有するワイヤを編み込んで形成される。ここではフィルタ部５４、６４を、略半楕円体のフィルタ本体５４Ａ、６４Ａが支持部５４Ｂ、６４Ｂに支持されるパラシュート型のバスケットで構成している。
【００６４】
パラシュートの傘体に当たる略半楕円体のフィルタ本体５４Ａ、６４Ａは、血流を通す一方で塞栓は確実に捕捉できるよう、編み込んだワイヤのメッシュから構成される。ここで図４に示すように、フィルタ本体５４Ａのメッシュは、フィルタ本体６４Ａのメッシュよりも、編み目を細かくする。パラシュートの吊索に当たる支持部５４Ｂ、６４Ｂは、一本又は複数本の束ねられたワイヤからなり、フィルタ本体５４Ａ、６４Ａの開口５５、６５側を支持する。そしてフィルタ部５４、６４は、フィルタ本体５４Ａ、６４Ａの先端側が後述する先端側結束部５６Ａ、６６Ａで結束されると共に、支持部５４Ｂ、６４Ｂの基端側が基端側結束部５６Ｂ、６６Ｂで結束されて、それぞれシャフト１１に取り付けられている。
【００６５】
フィルタ部５４、６４は、細く柔軟なワイヤを編み込んで形成されているため、伸縮及び変形が容易である。また、後述するが、基端側結束部５６Ｂ、６６Ｂはシャフト１１に固定されており、先端側結束部５６Ａ、６６Ａはシャフト１１の軸方向に沿ってスライド可能に設けられている。そのため、フィルタ部５４、６４は、先端側結束部５６Ａ、６６Ａが先端方向に移動すると細長く縮径した状態となり、先端側結束部５６Ａ、６６Ａが基端方向に移動すると丸く膨らんで図３に示すように拡径する。弾性又は形状記憶性を有するワイヤからなるフィルタ部５４、６４は、自然状態又は形状記憶回復温度下ではこの拡径した状態を取るように加工されている。
【００６６】
フィルタ部５４、６４を構成するフィルタ本体５４Ａ、６４Ａと支持部５４Ｂ、６４Ｂは、好適には複数本のワイヤから編まれて形成されている。また、フィルタ部５４、６４を構成するワイヤは、ニッケルチタンワイヤ、チタンワイヤ、プラチナ又は金から構成されるワイヤとニッケルチタン合金の複合素材のワイヤ、金メッキを施したニッケルワイヤ、又はチタン合金のワイヤ等からなるのが好適である。
【００６７】
結束部５６、６６は、フィルタ部５４、６４を構成するワイヤを先端側と基端側でそれぞれ束ねてシャフト１１に取り付けるリング状部材である。このリング状部材は、シャフト１１に固定することも、シャフト１１に対してスライド可能にすることもできる。ここでは、先端側結束部５６Ａ、６６Ａがシャフト１１の軸方向にスライド可能に設けられると共に、基端側結束部５６Ｂ、６６Ｂがシャフト１１に固定されている。そのため、上述のようにフィルタ部５４、６４は、先端側結束部５６Ａ、６６Ａが先端方向に移動することにより、搬送カテーテルに細長く縮径した状態で収納することができる。また、搬送カテーテルから管腔内に放出されると、フィルタ部５４、６４を構成するワイヤの弾性又は形状記憶性により先端側結束部５６Ａ、６６Ａが基端方向に移動し、フィルタ部５４、６４は管腔内壁にフィットするように拡張する。使用方法については、図１に示す第１の実施形態の塞栓捕捉装置１０と同様である。
【００６８】
なお、結束部５６、６６は、Ｘ線不透過性の金属素材（例えば、プラチナ、タングステン等）から構成し、Ｘ線透視下で位置の確認ができるようにする。
【００６９】
ここでは、第一の塞栓捕捉フィルタ５３のメッシュを、第二の塞栓捕捉フィルタ６３のメッシュよりも細かくする例を示したが、逆に第二の塞栓捕捉フィルタ６３のメッシュを、第一の塞栓捕捉フィルタ５３のメッシュよりも細かくしても良い。網目の細かいフィルタは、網目の粗いフィルタよりも管腔の下流側に位置するのが好適である。
【００７０】
このように、塞栓捕捉フィルタ５３、６３のうち、一方の塞栓捕捉フィルタのメッシュを、他方の塞栓捕捉フィルタのメッシュよりも細かくすることで、他方の塞栓捕捉フィルタが捕り逃がした塞栓も、一方の塞栓捕捉フィルタで捕捉することができる。
【００７１】
〔第四の実施形態〕
次に、二つの塞栓捕捉フィルタの大きさが、それぞれ異なる実施例について説明する。
【００７２】
図５は、本発明の第四の実施形態に係る塞栓捕捉装置の全体概略図である。なお、図１に示す実施形態と同一の部分については、同一の符号を付して詳細な説明は省略する。
【００７３】
図５に示すように、本実施形態の塞栓捕捉装置７０は、シャフト（シャフト部材）１１と、先端案内部１２と、二つの塞栓捕捉フィルタ（第一の塞栓捕捉フィルタ、第二の塞栓捕捉フィルタ）７３、８３とから構成される。
【００７４】
先端案内部１２の基端側には、二つの塞栓捕捉フィルタ７３、８３が縦列配置されている。塞栓捕捉フィルタ７３、８３は、血管内で遊離した塞栓を捕捉するバスケット形状のフィルタ部７４、８４と、このフィルタ部７４、８４を構成するワイヤを結束してシャフト１１に固定あるいはスライド可能に取り付けるリング状の結束部７６、８６と、から構成される。なおここでは、塞栓捕捉フィルタ７３、８３は共にその開口７５、８５が塞栓捕捉装置７０の基端側を向いて配置される例を示しているが、用途によって様々な向きに配置することが可能である。
【００７５】
フィルタ部７４、８４は、細く柔軟な弾性又は形状記憶性を有するワイヤを編み込んで形成される。ここではフィルタ部７４、８４を、略半楕円体のフィルタ本体７４Ａ、８４Ａが支持部７４Ｂ、８４Ｂに支持されるパラシュート型のバスケットで構成している。
【００７６】
パラシュートの傘体に当たる略半楕円体のフィルタ本体７４Ａ、８４Ａは、血流を通す一方で塞栓は確実に捕捉できるよう、編み込んだワイヤのメッシュから構成される。そしてフィルタ部７４、８４は、フィルタ本体７４Ａ、８４Ａの先端側が後述する先端側結束部７６Ａ、８６Ａで結束されると共に、支持部７４Ｂ、８４Ｂの基端側が基端側結束部７６Ｂ、８６Ｂで結束されて、それぞれシャフト１１に取り付けられている。
【００７７】
ここで、第二の塞栓捕捉フィルタ８３のフィルタ部８４は、第一の塞栓捕捉フィルタ７３のフィルタ部７４よりも小さい形状に形成されている。具体的には、フィルタ部８４が拡張した際の径が、フィルタ部７４よりも小さい。
【００７８】
フィルタ部７４、８４は、細く柔軟なワイヤを編み込んで形成されているため、伸縮及び変形が容易である。また、後述するが、基端側結束部７６Ｂ、８６Ｂはシャフト１１に固定されており、先端側結束部７６Ａ、８６Ａはシャフト１１の軸方向に沿ってスライド可能に設けられている。そのため、フィルタ部７４、８４は、先端側結束部７６Ａ、８６Ａが先端方向に移動すると細長く縮径した状態となり、先端側結束部７６Ａ、８６Ａが基端方向に移動すると丸く膨らんで図３に示すように拡径する。弾性又は形状記憶性を有するワイヤからなるフィルタ部７４、８４は、自然状態又は形状記憶回復温度下ではこの拡径した状態を取るように加工されている。
【００７９】
フィルタ部７４、８４を構成するフィルタ本体７４Ａ、８４Ａと支持部７４Ｂ、８４Ｂは、好適には複数本のワイヤから編まれて形成されている。また、フィルタ部７４、８４を構成するワイヤは、ニッケルチタンワイヤ、チタンワイヤ、プラチナ又は金から構成されるワイヤとニッケルチタン合金の複合素材のワイヤ、金メッキを施したニッケルワイヤ、又はチタン合金のワイヤ等からなるのが好適である。
【００８０】
結束部７６、８６は、フィルタ部７４、８４を構成するワイヤを先端側と基端側でそれぞれ束ねてシャフト１１に取り付けるリング状部材である。このリング状部材は、シャフト１１に固定することも、シャフト１１に対してスライド可能にすることもできる。ここでは、先端側結束部７６Ａ、８６Ａがシャフト１１の軸方向にスライド可能に設けられると共に、基端側結束部７６Ｂ、８６Ｂがシャフト１１に固定されている。そのため、上述のようにフィルタ部７４、８４は、先端側結束部７６Ａ、８６Ａが先端方向に移動することにより、搬送カテーテルに細長く縮径した状態で収納することができる。また、搬送カテーテルから管腔内に放出されると、フィルタ部７４、８４を構成するワイヤの弾性又は形状記憶性により先端側結束部７６Ａ、８６Ａが基端方向に移動し、フィルタ部７４、８４は管腔内壁にフィットするように拡張する。使用方法については、図１に示す第１の実施形態の塞栓捕捉装置１０と同様である。
【００８１】
なお、結束部７６、８６は、Ｘ線不透過性の金属素材（例えば、プラチナ、タングステン等）から構成し、Ｘ線透視下で位置の確認ができるようにする。
【００８２】
ここでは、第二の塞栓捕捉フィルタ８３のフィルタ部８４を、第一の塞栓捕捉フィルタ７３のフィルタ部７４よりも小さくする例を示したが、逆に第一の塞栓捕捉フィルタ７３のフィルタ部７４を、第二の塞栓捕捉フィルタ８３のフィルタ部８４よりも小さくしても良い。大きいフィルタ部は、小さいフィルタ部よりも管腔の下流側に位置するのが好適である。
【００８３】
このように、塞栓捕捉フィルタ７３、８３のうち、一方のフィルタ部を、他方のフィルタ部よりも小さくすることで、様々な形状の管腔に適用することが可能となる。
【００８４】
〔第五の実施形態〕
次に、塞栓捕捉フィルタの基端側に、管腔壁に張り付いた塞栓を破壊、切除するための切除コイルをさらに設けた塞栓捕捉装置について説明する。
【００８５】
図６は、本発明の第五の実施形態に係る塞栓捕捉装置の全体概略図である。なお、図１に示す実施形態と同一の部分については、同一の符号を付して詳細な説明は省略する。
【００８６】
図６に示すように、本実施形態の塞栓捕捉装置９０は、シャフト（シャフト部材）１１と、先端案内部１２と、二つその塞栓捕捉フィルタ（第一の塞栓捕捉フィルタ、第二の塞栓捕捉フィルタ）１３、１４と、切除コイル９１と、から構成される。
【００８７】
切除コイル９１は、弾性又は形状記憶性を有するワイヤ９２より構成され、自然状態又は形状記憶回復温度下ではこの弾性又は形状記憶性により、図６に示すようなコイル形状を保持する。この切除コイル９１の螺旋の数は２から５であるのが好適である。ワイヤ９２の両端は、コイル連結部９３Ａ、９３Ｂによりシャフト１１に連結されている。ここで、先端側コイル連結部９３Ａはシャフト１１の軸方向に沿ってスライド可能であると共に、基端側コイル連結部９３Ｂはシャフト１１に固定されている。そのため切除コイル９１は、搬送カテーテル内で、先端側コイル連結部９３Ａが先端方向に移動することにより、シャフト１１に沿って線状に伸長することが可能である。なお、他の実施形態として、シャフト１１に先端側コイル連結部９３Ａが固定され、基端側コイル連結部９３Ｂがスライド可能であっても良い。あるいは、先端側コイル連結部９３Ａ及び基端側コイル連結部９３Ｂが共にシャフト１１に対してスライド可能であり、この先端側コイル連結部９３Ａ及び基端側コイル連結部９３Ｂ間に、シャフト１１に固定されるストッパー部材（図示せず）を配置して、コイル連結部９３Ａ、９３Ｂのスライド範囲を規制するようにしても良い。
【００８８】
切除コイル９１を構成するワイヤ９２は、ニッケルチタンワイヤ、チタンワイヤ、プラチナ又は金から構成されるワイヤとニッケルチタン合金の複合素材のワイヤ、金メッキを施したニッケルワイヤ、又はチタン合金のワイヤ等からなる。このワイヤ９２は、さらに熱処理を加えて熱硬化性を持たせても良い。また、ワイヤ９２の直径は０．０２〜０．１ｍｍ程度であるのが望ましい。
【００８９】
なお、ここでは塞栓捕捉フィルタ１３、２３の基端側に切除コイル９１を設けているが、切除コイル９１は塞栓捕捉フィルタ１３、２３の開口１５、２５の上流側に設ければ良く、場合によっては塞栓捕捉フィルタ１３、２３の先端側に設けても良い。
【００９０】
このように、塞栓捕捉フィルタ１３、２３の上流側に、管腔壁に張り付いた塞栓を破壊、切除するための切除コイル９１をさらに設けることによって、切除コイル９１が切除した塞栓を、二つの塞栓捕捉フィルタ１３、２３で確実に捕捉することが可能となる。
【００９１】
〔第六の実施形態〕
上記実施形態では、半楕円体のフィルタ本体を支持部で支持するパラシュート型の塞栓捕捉フィルタを用いる例を示したが、塞栓捕捉フィルタはこれに限らず様々な形状のものを適用可能である。以下、パラソル型の塞栓捕捉フィルタを用いる例について説明する。
【００９２】
図７は、本発明の第六の実施形態に係る塞栓捕捉装置の全体概略図である。なお、図１に示す実施形態と同一の部分については、同一の符号を付して詳細な説明は省略する。
【００９３】
図７に示すように、本実施形態の塞栓捕捉装置１１０は、シャフト（シャフト部材）１１と、先端案内部１２と、二つの塞栓捕捉フィルタ（第一の塞栓捕捉フィルタ、第二の塞栓捕捉フィルタ）１１３、１２３とから構成される。
【００９４】
先端案内部１２の基端側には、二つの塞栓捕捉フィルタ１１３、１２３が縦列配置されている。塞栓捕捉フィルタ１１３、１２３は、血管内で遊離した塞栓を捕捉するバスケット形状のフィルタ部１１４、１２４と、このフィルタ部１１４、１２４を構成するワイヤを結束してシャフト１１に固定あるいはスライド可能に取り付けるリング状の結束部１１６、１２６と、から構成される。なおここでは、塞栓捕捉フィルタ１１３、１２３は共にその開口１１５、１２５が塞栓捕捉装置１１０の基端側を向いて配置される例を示しているが、用途によって様々な向きに配置することが可能である。
【００９５】
図８に塞栓捕捉フィルタ１１３、１２３の詳細を示す。図８に示すように、フィルタ部１１４、１２４は、血流を通す一方で塞栓を捕捉できるよう、細く柔軟な弾性又は形状記憶性を有するワイヤを編み込んだメッシュからなり、図８の一点鎖線で示すように略楕円体に形成されている。しかし、弾性又は形状記憶性により、自然状態又は形状記憶回復温度下では図８の実線及び破線で示すように、略楕円体が略中央で折り返された、パラソル型のバスケットを形成するように加工されている。
【００９６】
フィルタ部１１４、１２４を構成するワイヤは、先端側が先端側結束部１１６Ａ、１２６Ａで、基端側が基端側結束部１１６Ｂ、１２６Ｂで結束されてシャフト１１に取り付けられている。また後述するが、先端側結束部１１６Ａ、１２６Ａはシャフト１１に固定されており、基端側結束部１１６Ｂ、１２６Ｂはシャフト１１の軸方向に沿ってスライド可能に設けられている。そのため、フィルタ部１１４、１２４は、先端側結束部１１６Ａ、１２６Ａが先端方向に移動すると細長く縮径した状態となり、先端側結束部１１６Ａ、１２６Ａが基端方向に移動すると略中央部で折り返されて図７に示すようにパラソル型に拡径する。
【００９７】
フィルタ部１１４、１２４を構成するフィルタ本体１１４Ａ、１２４Ａと支持部１１４Ｂ、１２４Ｂは、好適には複数本のワイヤから編まれて形成されている。また、フィルタ部１１４、１２４を構成するワイヤは、ニッケルチタンワイヤ、チタンワイヤ、プラチナ又は金から構成されるワイヤとニッケルチタン合金の複合素材のワイヤ、金メッキを施したニッケルワイヤ、又はチタン合金のワイヤ等からなるのが好適である。
【００９８】
結束部１１６、１２６は、フィルタ部１１４、１２４を構成するワイヤを先端側と基端側でそれぞれ束ねてシャフト１１に取り付けるリング状部材である。このリング状部材は、シャフト１１に固定することも、シャフト１１に対してスライド可能にすることもできる。ここでは、先端側結束部１１６Ａ、１２６Ａがシャフト１１の軸方向にスライド可能に設けられると共に、基端側結束部１１６Ｂ、１２６Ｂがシャフト１１に固定されている。そのため、上述のようにフィルタ部１１４、１２４は、先端側結束部１１６Ａ、１２６Ａが先端方向に移動することにより、搬送カテーテルに細長く縮径した状態で収納することができる。また、搬送カテーテルから管腔内に放出されると、フィルタ部１１４、１２４を構成するワイヤの弾性又は形状記憶性により先端側結束部１１６Ａ、１２６Ａが基端方向に移動し、フィルタ部１１４、１２４は折り返されて拡張する。使用方法については、図１に示す第１の実施形態の塞栓捕捉装置１０と同様である。
【００９９】
なお、結束部１１６、１２６は、Ｘ線不透過性の金属素材（例えば、プラチナ、タングステン等）から構成し、Ｘ線透視下で位置の確認ができるようにする。
【０１００】
このように、折り返し形状のパラソル型の塞栓捕捉フィルタ１１３、１２３を用いることにより、フィルタ部１１４、１２４は二重のフィルタを形成し、より確実に塞栓を捕捉することが可能となる。
【０１０１】
なお、ここまでの実施形態では、例として塞栓捕捉装置の先端側結束部をシャフトに対してスライド可能、基端側結束部をシャフトに固定する例を示したが、これに代えて、先端側結束部を固定、基端側結束部をスライド可能としても良い。また、基端側結束部及び先端側結束部の双方をスライド可能にしても良い。
【０１０２】
図９に、先端側と基端側の結束部をスライド可能にする例を示す。ここでは、図１に示したパラシュート型の塞栓捕捉フィルタ１３を例に図示する。なお、図１に示す実施形態と同一の部分については、同一の符号を付して詳細な説明は省略する。
【０１０３】
この変形例では、先端側結束部１６Ｃ、基端側結束部１６Ｄを、双方ともシャフト１１に対してスライド可能に設ける。そして、図９（ａ）に示すように、結束部１６Ｃ、１６Ｄの移動範囲を規制するためのストッパー部材１７が、シャフト１１に固定されている。このストッパー部材１７は、結束部１６Ｃ、１６Ｄの間に配置し、リング状の結束部１６Ｃ、１６Ｄの内径よりも外径を大きくして、結束部１６Ｃ、１６Ｄが乗り越えられないようにする。
【０１０４】
塞栓捕捉フィルタ１３は、結束部１６Ｃ、１６Ｄが双方ともスライド可能なために、搬送カテーテル内では縮径し、管腔に放出された際には拡径する等、自在に拡縮することができる。一方で、ストッパー部材１７がシャフト１１に設けられているために、結束部１６Ｃ、１６Ｄの移動範囲は図６（ｂ）に示す点線の範囲に規制される。なお、ここでは一つのストッパー部材１７で結束部１６Ｃ、１６Ｄの移動範囲を規制する例を示したが、複数のストッパー部材を用いるようにしても良い。また、ストッパー部材１７は図９に示すようにフィルタ部１４内側に設置しても良いが、フィルタ部１４の外側、あるいはフィルタ部１４の内側と外側の双方に設けても良い。
【０１０５】
以上、本発明の塞栓捕捉装置の態様について様々な説明をしたが、上記塞栓捕捉装置は、その表面を薬剤によりコーティングしておいても良い。例えば、親水性コーティングを行えば、血液に触れると潤滑性を発揮するようになるため、血管２００内への導入操作が容易になる。
【０１０６】
本発明の塞栓捕捉装置は、脳血管のほか、その他の血管、リンパ管等、様々な生体の管腔に適用することができる。
【０１０７】
本発明の塞栓捕捉装置によれば、塞栓捕捉フィルタを二重に配置することにより、上流側の塞栓捕捉フィルタが捕捉できなかった塞栓や収容時に落とした塞栓でも捕捉することが可能となる。
【０１０８】
また、二つの塞栓捕捉フィルタを、互いに異なる性質（向き、メッシュ粗さ、大きさ等）とすることで、管腔内の様々な状況に対応してより確実な塞栓の捕捉が可能となる。
【０１０９】
以上、本発明の実施形態について説明したが、本発明は上記実施形態に限定されるものではなく、本発明の趣旨に基づき種々の変形が可能であり、これらを本発明の範囲から排除するものではない。
【産業上の利用可能性】
【０１１０】
本発明は、本発明は、生体の管腔において血栓等の塞栓を捕捉するための塞栓捕捉装置に関し、産業上の利用可能性を有する。
【符号の説明】
【０１１１】
１０、３０、５０、７０、９０、１１０    塞栓捕捉装置
１１    シャフト（シャフト部材）
１２    先端案内部
１３、３３、５３、７３、１１３    第一の塞栓捕捉フィルタ
１４、２４、３４、４４、５４、６４、７４、８４、１１４、１２４    フィルタ部
１４Ａ、２４Ａ、３４Ａ、４４Ａ、５４Ａ、６４Ａ、７４Ａ、８４Ａ    フィルタ本体
１４Ｂ、２４Ｂ、３４Ｂ、４４Ｂ、５４Ｂ、６４Ｂ、７４Ｂ、８４Ｂ    支持部
１５、２５、３５、４５、５５、６５、７５、８５、１１５、１２５    開口
１６、２６、３６、４６、５６、６６、７６、８６、１１６、１２６    結束部
１６Ａ、１６Ｃ、２６Ａ、３６Ａ、４６Ａ、５６Ａ、６６Ａ、７６Ａ、８６Ａ、１１６Ａ、１２６Ａ    先端側結束部
１６Ｂ、１６Ｄ、２６Ｂ、３６Ｂ、４６Ｂ、５６Ｂ、６６Ｂ、７６Ｂ、８６Ｂ、１１６Ｂ、１２６Ｂ    基端側結束部
１７    ストッパー部材
２３、４３、６３、８３、１２３    第二の塞栓捕捉フィルタ
９１    切除コイル
９２    ワイヤ
９３Ａ    先端側コイル連結部
９３Ｂ    基端側コイル連結部
【図１】
2013027593.tif 000003
【図２】
2013027593.tif 000004
【図３】
2013027593.tif 000005
【図４】
2013027593.tif 000006
【図５】
2013027593.tif 000007
【図６】
2013027593.tif 000008
【図７】
2013027593.tif 000009
【図８】
2013027593.tif 000010
【図９】
2013027593.tif 000011
【図１０】
2013027593.tif 000012